(57)【要約】【課題】電灯器具の増設および屋外での配線作業や点検が簡単に行なえる屋外電灯器具用電力供給装置を提供する。【解決手段】電力供給装置は、基本的に、トランス１と、ジャンクションボックス２ａ、２ｂならびに２ｃで構成されている。トランス１で生成されたＤＣ１２Ｖの直流電力はジャンクションボックス２ａ，２ｂおよび２ｃに供給される。ジャンクションボックス２ａ、２ｂおよび２ｃには、相互の間をカスケード接続し、また電灯器具５ａ、５ｂを接続するため手段として、一対のコネクタ３１および３２で構成された配線器具３が収容されている。配線器具３の複数の端子対３３のうち２つの端子対はトランス１または他のジャンクションボックス２との接続用に用いられ、その他の端子対は電灯器具５ａ、５ｂとの接続用に用いられる。【選択図】図２
2010200595.tif 000002
【特許請求の範囲】
【請求項１】
商用電源から供給される交流電力をトランスで所定の電圧の直流電力に変換した後、この直流電力を、複数のジャンクションボックスを用いて、屋外に設置された動作電圧の等しい複数の電灯器具に供給する屋外電灯器具用電力供給装置であって、
前記複数のジャンクションボックスは電線を介してカスケード接続されており、
個々のジャンクションボックスは、少なくとも３個の端子を有する第１のコネクタと、この第１のコネクタと同数の端子を有する第２のコネクタとで構成された配線器具を備え、
かつこの配線器具は、前記第１のコネクタの少なくとも３個の端子と前記第２のコネクタの少なくとも３個の端子がそれぞれ端子対をなし、
前記複数のジャンクションボックスのうち最終段に接続されたジャンクションボックスを除くそれぞれのジャンクションボックスは、
前記配線器具の端子対のうち１個の端子対が前記トランスの出力側もしくは前段のジャンクションボックスの１個の端子対に接続され、
他の１個の端子対が、後段のジャンクションボックスの１個の端子対に接続され、
残りの端子対が、それぞれ前記電灯器具に接続される、ことを特徴とする屋外電灯器具用電力供給装置。
【請求項２】
前記第１のコネクタおよび前記第２のコネクタは構造的に分離されている、ことを特徴とする請求項１に記載の屋外電灯器具用電力供給装置。
【請求項３】
前記第１のコネクタおよび前記第２のコネクタは、前記ジャンクションボックスのボックス本体の空洞部内に浮いた状態で収容されている、ことを特徴とする請求項１または２に記載の屋外電灯器具用電力供給装置。
【請求項４】
前記第１のコネクタの外面にはプラスを示す表示が付され、前記第２のコネクタの外面にはマイナスを示す表示が付されている、ことを特徴とする請求項３に記載の屋外電灯器具用電力供給装置。
【請求項５】
前記ジャンクションボックスのボックス本体の底に支持脚が取り付けられ、この支持脚により前記ボックス本体は設置面から浮いた状態で設置される、ことを特徴とする請求項１ないし４のいずれかに記載の屋外電灯器具用電力供給装置。
【請求項６】
前記ジャンクションボックスのボックス本体の底に、地中に埋設可能で前記ボックス本体内の空洞部に連通する筒体が取り付けられ、かつこの筒体は地中に埋設される、ことを特徴とする請求項１ないし４のいずれかに記載の屋外電灯器具用電力供給装置。
【発明の詳細な説明】
【技術分野】
【０００１】
本発明は、庭園などの屋外に設置された複数の電灯器具に電力を供給する屋外電灯器具用電力供給装置に関する。
【背景技術】
【０００２】
庭園などの屋外に設置される電灯器具については、安全性や作業性の観点から、低電圧で動作するＬＥＤなどを光源とする電灯器具が用いられるようになってきている。そしてこの電灯器具には、商用電源から供給された交流電力がトランスにより直流電力に変換された後、その直流電力が供給される（例えば特許文献１参照）。
【０００３】
このような低電圧動作の電灯器具に電力を供給する装置として、非特許文献１に記載された装置がある。図９に、非特許文献１に記載された屋外電灯器具用電力供給装置の概略の構成を示す。
【０００４】
商用電源のコンセント１１から供給されたＡＣ１００Ｖの交流電力は、トランス１２で降圧されると共に整流されて直流電力に変換された後、主電線１３に供給される。主電線１３の途中に、コネクタ１４を介して複数の分岐電線１５が接続されており、それぞれの分岐電線１５には照明用の電灯器具１６が接続されている。
【０００５】
図９に示す従来の電力供給装置では、主電線１３、コネクタ１４および分岐電線１５を庭の地中に埋設すると共に、分岐電線１５の遊端側を電灯器具１６の設置面上に引き出し、この引き出し部分に、庭に設置した電灯器具１６を接続していた。
【先行技術文献】
【特許文献】
【０００６】
【特許文献１】特許第３３４７９２８号公報
【非特許文献】
【０００７】
【非特許文献１】２００６年2月２１日、株式会社タカショー発行の「タカショープロエクス総合カタログ」第５２７頁に記載のカクテルブロック結線図
【発明の概要】
【発明が解決しようとする課題】
【０００８】
しかし上述した従来の電力供給装置では、電灯器具１６を増設する際、地中に埋設された主電線１３を一旦掘り出し、これを途中で切断してコネクタ１４および分岐電線１５を取り付けなければならないため、作業に手間がかかっていた。
【０００９】
また主電線１３が途中で断線し、あるいはコネクタ１４の一つに故障が生じた場合などにおいて、故障箇所の特定が難しく、修理に手間を要する不具合があった。
【００１０】
更に、コネクタ１４が地中に埋設されていることから、雨水や湿気によってコネクタ１４と主電線１３または分岐電線１５との接続部で絶縁性が破壊されて電線間が短絡し、電灯器具１６が点灯しなかったり故障したりする原因となっていた。
【００１１】
本発明はこのような事情に鑑みてなされたもので、電灯器具の増設および屋外での配線作業や点検が簡単に行なえ、しかも雨水等による電線接続部の短絡が発生しにくい屋外電灯器具用電力供給装置を提供することを目的とする。
【課題を解決するための手段】
【００１２】
上記目的を達成するために、本発明にかかる屋外電灯器具用電力供給装置は、
商用電源から供給される交流電力をトランスで所定の電圧の直流電力に変換した後、この直流電力を、複数のジャンクションボックスを用いて、屋外に設置された動作電圧の等しい複数の電灯器具に供給する屋外電灯器具用電力供給装置であって、
前記複数のジャンクションボックスは電線を介してカスケード接続されており、
個々のジャンクションボックスは、少なくとも３個の端子を有する第１のコネクタと、この第１のコネクタと同数の端子を有する第２のコネクタとで構成された配線器具を備え、
かつこの配線器具は、前記第１のコネクタの少なくとも３個の端子と前記第２のコネクタの少なくとも３個の端子がそれぞれ端子対をなし、
前記複数のジャンクションボックスのうち最終段に接続されたジャンクションボックスを除くそれぞれのジャンクションボックスは、
前記配線器具の端子対のうち１個の端子対が前記トランスの出力側もしくは前段のジャンクションボックスの１個の端子対に接続され、
他の１個の端子対が、後段のジャンクションボックスの１個の端子対に接続され、
残りの端子対が、それぞれ前記電灯器具に接続される、ことを特徴とする。
【００１３】
ここで、前記第１のコネクタおよび前記第２のコネクタは構造的に分離されていることが好ましい。また前記第１のコネクタおよび前記第２のコネクタは、前記ジャンクションボックスのボックス本体の空洞部内に浮いた状態で収容されていることが好ましい。更に前記第１のコネクタの外面にはプラスを示す表示が付され、前記第２のコネクタの外面にはマイナスを示す表示が付されていることが好ましい。
【００１４】
本発明にかかる屋外電灯器具用電力供給装置において、前記ジャンクションボックスのボックス本体の底に支持脚が取り付けられ、この支持脚により前記ボックス本体が設置面から浮いた状態で設置されるようにしてもよい。または前記ジャンクションボックスのボックス本体の底に、地中に埋設可能で前記ボックス本体内の空洞部に連通する筒体が取り付けられ、かつこの筒体が地中に埋設されるようにしてもよい。
【発明の効果】
【００１５】
本発明によれば、電灯器具を増設する場合、最終段のジャンクションボックスに更にジャンクションボックスを接続し、そのジャンクションボックスに電灯器具を接続するだけで済む。また、電灯器具が点灯しない場合には、その電灯器具が接続されているジャンクションボックス内の配線を点検するだけで、故障箇所を簡単に確認できる。
【００１６】
更に、電線間を接続する一対のコネクタは雨水や湿気が浸入しにくいジャンクションボックス内に収納されているため、コネクタ間の絶縁性が破壊されて電極間が短絡するのを防止できる。
【図面の簡単な説明】
【００１７】
【図１】本発明の実施の形態にかかる屋外電灯器具用電力供給装置の構成を示す図である。
【図２】図１の屋外電灯器具用電力供給装置の配線図である。
【図３】図１のジャンクションボックス２ａの斜視図である。
【図４】図３のジャンクションボックスの縦断面図である。
【図５】図３のジャンクションボックスのボックス本体の上蓋を外した状態の平面図である。
【図６】図１のジャンクションボックス２ｂの斜視図である。
【図７】図６のジャンクションボックスの縦断面図である。
【図８】保持具７に取り付けられた電灯器具５ａの縦断面図である。
【図９】従来の屋外電灯器具用電力供給装置の概略構成を示す図である。
【発明を実施するための形態】
【００１８】
以下、本発明の実施の形態にかかる屋外電灯器具用電力供給装置（以降、「電力供給装置」と略す）について、図面を参照しながら説明する。
【００１９】
＜電力供給装置の構成＞
図１に本発明の実施の形態にかかる電力供給装置の構成を示す。図１は、庭園やエントランスなどの屋外に設置された複数の電灯器具に電力を供給する例を示したものである。
【００２０】
本実施の形態にかかる電力供給装置は、基本的に、トランス１と、ジャンクションボックス２ａ、２ｂならびに２ｃで構成されている。トランス１は、建屋の外壁面に設置された商用電源のコンセント９に接続され、ＡＣ１００Ｖの交流電力を降圧および整流してＤＣ１２Ｖの直流電力を生成する。トランス１で生成されたＤＣ１２Ｖの直流電力は、主電線４ａ、４ｂおよび４ｃを介してジャンクションボックス２ａ，２ｂおよび２ｃに供給される。
【００２１】
ジャンクションボックス２ａは、主電線４ａを介してトランス１と接続され、主電線４ｂを介してジャンクションボックス２ｂと接続されている。またジャンクションボックス２ｂは、主電線４ｃを介してジャンクションボックス２ｃと接続されている。
【００２２】
ジャンクションボックス２ａは、さらに３本の分岐電線６を介して３つの電灯器具５ｂに接続されている。またジャンクションボックス２ｂは、３本の分岐電線６を介して３つの電灯器具５ａ（うち１つは省略）に接続されている。同様に、ジャンクションボックス２ｃは、４本の分岐電線６を介して４つの電灯器具５ａ（うち２つは省略）に接続されている。ジャンクションボックス２ａ、２ｂおよび２ｃの構造については、後に図面を参照して詳細に説明する。
【００２３】
電灯器具５ａおよび５ｂは用途に応じて形状が異なっているが、いずれも光源には、消費電力が少なく、寿命も長いＬＥＤを使用している。
【００２４】
電灯器具５ｂは設置面上に立設して用いるものであり、分岐電線６は設置面上に這わせて配設される。一方、電灯器具５ａは、その発光面が設置面とほぼ同一の高さとなるように地中に埋設して用いられ、分岐電線６も地中に埋設される。電灯器具５ａを設置する際には、別途用意した保持具７の上部に組み込むようにしている。
【００２５】
なお図１では、ジャンクションボックス２ａに電灯器具５ｂが接続され、ジャンクションボックス２ｂおよび２ｃに電灯器具５ａが接続されているが、ジャンクションボックスには、用途に応じて電灯器具５ａおよび５ｂのいずれを接続してもよい。また、主電線４ａ、４ｂおよび４ｃならびに分岐電線６は、雨水などから電線を保護するため、プラスチック製の電線保護管８に挿入された状態で配線されている。
【００２６】
＜電力供給装置の配線＞
図２に、図１の電力供給装置の配線図を示す。ジャンクションボックス２ａ、２ｂおよび２ｃ（以降、総称して「ジャンクションボックス２」ともいう）には、それぞれコネクタ３１および３２で構成された配線器具３が収容されている。コネクタ３１および３２は、それぞれ少なくとも３個（図では５個）の端子３０が同じ数だけ直列に接続され、かつ対応する位置にある端子３０によって端子対３３ａ〜３３ｅが形成されている。
【００２７】
主電線４ａ、４ｂおよび４ｃ（以降、総称して「主電線４」ともいう）は一対のコード４１と４２を含み、また分岐電線６は一対のコード６１と６２を含む。コネクタ３１、主電線４のコード４１および分岐電線６のコード６１は、トランス１から供給される直流電力のプラス（＋）側に接続され、コネクタ３２、主電線４のコード４２および分岐電線６のコード６２は、トランス１から供給される直流電力のマイナス（−）側に接続される。
【００２８】
図２に示すように、本実施の形態の電力供給装置は、ジャンクションボックス２ａ、２ｂおよび２ｃが、主電線４を介してカスケード接続、すなわち多段に接続されている。またそれぞれのジャンクションボックス２ａ、２ｂおよび２ｃに、分岐電線６を介して動作電圧（ＤＣ１２Ｖ）の等しい電灯器具５ａおよび５ｂが複数個接続されている。
【００２９】
各ジャンクションボックス２は、上述した配線形態を実現するための手段として配線器具３を備えている。図２を参照して配線形態について具体的に説明する。ジャンクションボックス２ａに収容された配線器具３の端子対３３ａ〜３３ｅのうち、最上位の端子対３３ａは、主電線４ａのコード４１および４２を介してトランス１の出力側に接続されている。また２番目の端子対３３ｂは、主電線４ｂのコード４１および４２を介してジャンクションボックス２ｂの配線器具３の最上位の端子対３３ａに接続されている。そして残りの端子対３３ｃ〜３３ｅは、それぞれ分岐配線６のコード６１および６２を介して電灯器具５ｂに接続されている。
【００３０】
また、ジャンクションボックス２ｂに収容された配線器具３の端子対３３ａ〜３３ｅのうち２番目の端子対３３ｂは、主電線４ｃのコード４１および４２を介してジャンクションボックス２ｃの配線器具３の最上位の端子対３３ａに接続されている。そして残りの端子対３３ｃ〜３３ｅは、それぞれ分岐配線６のコード６１および６２を介して電灯器具５ａに接続されている。
【００３１】
さらに、ジャンクションボックス２ｃに収容された配線器具３の端子対３３ａ〜３３ｅのうち、２番目から５番目の端子対３３ｂ〜３３ｅは、それぞれ分岐配線６のコード６１および６２を介して電灯器具５ａに接続されている。
【００３２】
上述した電力供給装置において、電灯器具５ａまたは５ｂを増設する場合、ジャンクションボックス２ｃの配線器具３に接続された電灯器具５ａの一つを取り外し、代わりにジャンクションボックス２ｄ（図示せず）を接続し、このジャンクションボックス２ｄに収容された配線器具３の端子対３３ｂ〜３３ｅに分岐配線６を介して電灯器具５ａまたは５ｂを接続する。
【００３３】
本実施の形態では、上述した配線形態に対応するために、電灯器具５ａおよび５ｂの光源に動作電圧（ＤＣ１２Ｖ）が等しいＬＥＤを用いている。以下にその理由を説明する。
【００３４】
第１は、動作電圧が１２Ｖの電灯器具５ａ、５ｂを用いることにより、配線工事を行う際の制約を取り除いている。電気工事士法によれば、一般家庭で用いられる１００Ｖの配線工事は、電気工事士の資格を有する者にのみ許され、これを有さない者による工事は禁止されている。これに対し、動作電圧が３６Ｖ以下の電灯器具の配線については、電気工事士の資格を有さない者であっても工事が可能である。
【００３５】
従って、動作電圧がＤＣ１２Ｖの電灯器具を用いることにより、配線工事を行う際の制約が取り除かれ、庭園やエントランスの施工を行う業者が電灯器具の配線工事も併せて行うことができる。また動作電圧が１２Ｖ程度であれば、作業者が誤って銅線が露出したコードに触っても、感電してけがをすることはない。
【００３６】
第２は、動作電圧の等しい電灯器具を用いることにより、配線の途中で電圧の調整を行う必要がなくなるためである。配線器具３に接続される複数の電灯器具の動作電圧が異なる場合、それぞれのジャンクションボックス２に電圧を調整する回路を配置する必要がある。これに対し、電灯器具の動作電圧が等しい場合は、配線器具３に電灯器具５ａ，５ｂを並列に接続するだけで、全ての電灯器具５ａ、５ｂにＤＣ１２Ｖの直流電力を供給できる。
【００３７】
このように上述した配線形態を採用することにより、電灯器具５ａ、５ｂを増設する場合でも、カスケード接続された最終段のジャンクションボックス２に主電線４を介して新たなジャンクションボックス２を接続するだけで、増設された電灯器具５ａまたは５ｂに電力を簡単に供給できる。
【００３８】
なお本実施の形態では、ジャンクションボックス２ａ〜２ｃに端子対の数の等しい配線器具３を用いているが、端子対の数は５個に限定されず、用途に応じて端子対の数を増減させてもよい。また配線器具３の端子対３３ａ〜３３ｅは、端子の位置に基づいて仮想的に設定したものであり、異なる位置の端子同士で端子対を構成してもよい。
【００３９】
＜ジャンクションボックスの構造＞
次に、ジャンクションボックス２の構造について説明する。本実施の形態では、設置面への設置方法の異なる２種類のジャンクションボックスを用いている。ジャンクションボックス２に接続される主電線４や分岐電線６が設置面上に配設される場合はジャンクションボックス２ａを用い、地中に埋設されている場合はジャンクションボックス２ｂまたは２ｃを用いる。
【００４０】
最初に、ジャンクションボックス２ａの構造を説明する。図３はジャンクションボックス２ａを斜め上から見た図、図４はジャンクションボックス２ａを横から見た縦断面図、図５は上蓋２１を外した状態のボックス本体２０を上から見た図である。
【００４１】
ジャンクションボックス２ａは、プラスチック材料で形成された立方体状のボックス本体２０の上部開口を上蓋２１で閉鎖できるようにしたものであり、ボックス本体２０内の空洞部２６には、配線器具３を構成するコネクタ３１とコネクタ３２が収容されている。
【００４２】
図５に示すように、ボックス本体２０の底壁２２には、主電線４および分岐電線６を通すための５つの孔２３が設けられており、これらの孔２３は、主電線４および分岐電線６を通さないときには、図示しないグロメットで閉鎖されている。
【００４３】
また図３に示すように、ボックス本体２０の下面四隅に支持脚２４が取り付けられており、この支持脚２４の下端部を地中に埋めることにより、ボックス本体２０の底壁２２を設置面Ｇ（図４参照）から浮かせて設置する。
【００４４】
次に、ジャンクションボックス２の構造面における機能について説明する。ジャンクションボックス２の第１の機能は、ボックス本体２０内に雨水等が浸入するのを防止し、コネクタ３１、３２間の絶縁性が破壊されて電極３０間が短絡するのを防止することである。この機能を実現するため、ボックス本体２０は、上蓋２１および孔２３に装着されたグロメットで密閉される構造を採用している。さらに、孔２３に挿入された電線保護管８は、完全防水のケーブルクランプ用コネクタ（図示せず）で底壁２２に固定され、電線保護管８とボックス本体２０の結合部から雨水や湿気がボックス本体２０内に浸入するのを防止している。
【００４５】
また本実施の形態では、防水が不完全で雨水や湿気がボックス本体２０内に浸入した場合を考慮し、コネクタ３１とコネクタ３２を構造的に分離している。コネクタ３１とコネクタ３２を一体化した場合、コネクタ表面に付着した水分により、プラスとマイナスの端子間の絶縁性が破壊され、電灯器具５ａ、５ｂが発光しなかったり、故障したりする原因となる。コネクタ３１とコネクタ３２を構造的に分離することにより、このような事態の発生を防止できる。
【００４６】
ジャンクションボックス２の第２の機能は、コネクタ３１、３２に主電線４や分岐電線６を接続する際の作業性を改善することである。この機能を実現するため、本実施の形態では、コネクタ３１とコネクタ３２をボックス本体２０に固定せず、壁から浮いた状態で収容している。
【００４７】
コネクタ３１、３２に主電線４や分岐電線６を接続する場合、作業者は上蓋２１を外し、主電線４および分岐電線６を引いて、コネクタ３１とコネクタ３２をボックス本体２０の上方に引き出す。このようにして作業空間を確保した後に、コネクタ３１、３２へのコード４１、４２、６１および６２の接続作業を行うことで、作業性が大幅に改善される。
【００４８】
また本実施の形態では、コネクタ３１やコネクタ３２に市販のワンタッチコネクタを採用することによって、接続作業の作業性を更に改善している。すなわち、コネクタ３１および３２は、図４に示すように、それぞれワンタッチ式圧着型の５個の端子３０を備えている。従って、先端の被膜を除去したコード４１、４２、６１または６２を端子３０の穴に挿入するだけで、簡単にコード４１、４２、６１または６２を端子３０に接続できる。
【００４９】
更に本実施の形態では、図４に示すように、コネクタ３１の外面に＋の表示をし、コネクタ３２の外面に−の表示をすることで、接続ミスの発生を防止している。電灯器具５ａ、５ｂの光源であるＬＥＤは極性を持っているため、電灯器具５ａのプラス側をトランス１のプラス側に接続し、電灯器具５ａのマイナス側をトランス１のマイナス側に接続する必要がある。接続を間違えると、電灯器具５ａ、５ｂが発光しなかったり故障したりする原因となる。
【００５０】
予めプラス側とマイナス側で色分けされたコードのうちプラス側のコード４１、６１をコネクタ３１の端子３０に接続し、マイナス側のコード４２、６２をコネクタ３２の端子３０に接続することによって、接続ミスを未然に防止できる。
【００５１】
なお、ジャンクションボックス２に接続された電灯器具５ａ、５ｂのいずれかが点灯しない場合には、上蓋２１を取り外して、コネクタ３１および３２をボックス本体から引き出す。そしてコネクタ３１および３２を点検することで、故障の原因が電線の接続不良にあるのか電灯器具５ａ、５ｂ自体に問題があるのかを、簡単に確認できる。
【００５２】
次に、ジャンクションボックス２ｂおよび２ｃの構造について説明する。ジャンクションボックス２ｃの構造はジャンクションボックス２ｂの構造と同じであるため、ここではジャンクションボックス２ｂの構造についてのみ説明する。図６はジャンクションボックス２ｂを斜め上から見た図、図７はジャンクションボックス２ｂを横から見た断面図である。
【００５３】
ジャンクションボックス２ｂのボックス本体２０の構造は、ジャンクションボックス２ａのそれと同じである。ジャンクションボックス２ａでは、ボックス本体２０の下面四隅に支持脚２４が取り付けられているのに対し、ジャンクションボックス２ｂでは、ボックス本体２０の下面に円筒状の筒体２５が取り付けられている。
【００５４】
接続される主電線４や分岐電線６が地中に埋設される場合、図７に示すように、円筒状の筒体２５の上端開口部をボックス本体２０の底壁２２の下面に接続し、この筒体２５を地中に埋設する。筒体２５の内部を空洞にすると、雨水などの浸透枡としての機能を果たすことから、ボックス本体２０の内部に雨水や湿気が侵入するのを防止できる。ジャンクションボックス２ｂの設置面Ｇ上を流下する雨水は、筒体２５内の空洞から地中内に排水される。
【００５５】
次に、電灯器具５ａを保持する保持具７の構造について簡単に説明する。図８は、電灯器具５ａが保持具７に保持された状態の断面図である。電灯器具５ａの発光面（上面）は、設置面Ｇとほぼ同一の高さとなる状態で、地中に埋設された保持具７に保持されている。保持具７は、電灯器具５ａを保持するための保持枠７１と、保持枠７１の底壁７２の下面に組み付けられた円筒状の筒体７３とを有する。
【００５６】
保持枠７１における電灯器具５ａの載置壁７４には配線用の孔７５が設けられ、また載置壁７４と対向する底壁７２には水抜き用の孔７６が設けられ、筒体７３は、上端開口が水抜き用の孔７６と対向している。保持具７の筒体７３は、その内部が空洞とされているので、雨水などの浸透枡としての役割を果たし、電灯器具５ａと分岐電線６との接続部位が雨水に浸漬されるのを防止できる。雨水は保持具７上に流下し、水抜き孔７６を通って排出される。
【００５７】
＜主電線および分岐電線の接続手順＞
次に、図１に示したように庭園に分散して配置されたジャンクションボックス２ａ〜２ｃおよび複数の電灯器具５ａ、５ｂを、主電線４および分岐電線６を用いて商用電源に接続する際の手順について説明する。
【００５８】
まず、図４に示すジャンクションボックス２ａのボックス本体２０から上蓋２１を取り外す。そして、主電線４や電灯器具５ｂから延びる分岐電線６、ならびにこれらの電線４、６を保護する電線保護管８をボックス本体２０の孔２３に挿通するとともに、ケーブルクランプ用コネクタ（図示せず）を用いて、電線保護管８の上端を孔２３に連結する。
【００５９】
次に、ボックス本体内に導かれた主電線４のプラス側コード４１をプラス側コネクタ３１の端子３０に接続し、マイナス側コード４２をマイナス側コネクタ３２の端子３０に接続する。同様にして、分岐電線６のプラス側コード６１をプラス側コネクタ３１の端子３０に接続し、マイナス側コード６２をマイナス側コネクタ３２の端子３０に接続する。主電線４および分岐電線６のそれぞれのコードの接続が完了した後、コネクタ３１、３２をボックス本体２０に収容すると共に、上蓋２１をボックス本体２０の上部開口に取り付ける。
【００６０】
ジャンクションボックス２ａと同様の要領で、ジャンクションボックス２ｂおよび２ｃのボックス本体２０内に収容されたコネクタ３１および３２に、主電線４および分岐電線６を接続する。
【００６１】
以上説明したように、本実施の形態のジャンクションボックス２を用いれば、ボックス本体２０内に雨水や湿気が浸入するのを防止でき、更にコネクタ３１および３２を構造的に分離していることから、水分によってコネクタ３１、３２間の絶縁性が破壊されるのを防止できる。また、コネクタ３１、３２をボックス本体２０内の空洞部２６の壁に固定せずに浮いた状態で収容することにより、配線の接続を行う際の作業性を改善できる。
【００６２】
なお、上述した実施の形態では、主電線４や分岐電線６を電線保護管８内に挿入して配線したが、設置面Ｇ上に配線する主電線４や分岐電線６は、電線保護管８を用いずに直接
設置面Ｇ上に配線してもよい。
【産業上の利用可能性】
【００６３】
本発明にかかる電力供給装置は、庭園やエントランスに設置された電灯器具への電力供給に限定されず、屋外に設置された電灯器具への電力供給装置として広く利用できるものである。
【符号の説明】
【００６４】
１  トランス
２ａ、２ｂ、２ｃ  ジャンクションボックス
３  配線器具
４  主電線
５ａ、５ｂ  電灯器具
６  分岐配線
７  保持具
８  電線保護管
２０  ボックス本体
２１  上蓋
２３  孔
２４  支持脚
２５  筒体
３０  端子
３１、３２  コネクタ
３３ａ〜３３ｅ  端子対
４１、４２、６１、６２  コード
【図１】
2010200595.tif 000003
【図２】
2010200595.tif 000004
【図３】
2010200595.tif 000005
【図４】
2010200595.tif 000006
【図５】
2010200595.tif 000007
【図６】
2010200595.tif 000008
【図７】
2010200595.tif 000009
【図８】
2010200595.tif 000010
【図９】
2010200595.tif 000011